(57)【要約】      （修正有）【課題】簡単な構成で仮装性に優れ、使用方法が簡単で携帯に便利で装着性にすぐれたかぶり物を提供する。【解決手段】 発泡ポリエチレン、ゴムスポンジ、フエルト等の柔軟な材質からなるシート材２０の両端部を連結手段で連結して円筒形の本体１０を構成し、この本体の前面に孔部１１を構成してなり、本体をかぶり孔部１１より顔を出して仮面として使用し、あるいは孔部１１に頭の上部を挿入して帽子として使用する。【選択図】図１
0003186991.tif 000002
【実用新案登録請求の範囲】
【請求項１】
柔軟な材質からなるシート材の両端部を連結手段で連結して円筒形の本体を構成し、この本体の前面に孔部を構成してなり、
前記本体をかぶり前記孔部より顔を出して仮面として使用し、あるいは前記孔部に頭の上部を挿入して帽子として使用することを特徴とするかぶり物。
【請求項２】
前記本体の両端部を連結手段によって着脱自在に連結したことを特徴とする請求項１記載のかぶり物。
【請求項３】
前記連結手段を面ファスナーによって構成したことを特徴とする請求項２記載のかぶり物。
【請求項４】
前記連結手段を差込み孔と差込み片によって構成し、前記差込み片を差込み孔に差し込んで係合することを特徴とする請求項２記載のかぶり物。
【請求項５】
前記連結手段を留め具と留め紐によって構成し、前記留め紐を留め具に係合することを特徴とする請求項２記載のかぶり物。
【請求項６】
前記本体の両端部を伸縮自在な連結手段によって連結したことを特徴とする請求項１記載のかぶり物
【請求項７】
前記本体の両端部を固定して連結したことを特徴とする請求項１記載のかぶり物。
【考案の詳細な説明】
【技術分野】
【０００１】
本考案は、頭部への装着方法を変えることによって仮面としてあるいは帽子として使用できるかぶり物に関するものである。
【背景技術】
【０００２】
従来より、お面としての機能を備えた帽子が提案されていた。例えば、特許文献１に記載された帽子は、頭部を外装するドーム状の本体部（１）と、該本体部の一側に固着されるとともに顔面部分に位置づけた仮面部（４）とよりなり、本体部他側に外方に突設する鍔部（３）を形成し、仮面部を折曲可能な素材で形成してなるものである。
【先行技術文献】
【特許文献】
【０００３】
【特許文献１】実開平７−２１７３４号公報
【０００４】
上述した特許文献１に記載された帽子は、各種スポーツ、イベント等において目立つ効果があり、また外気が直接顔面に当たらないため防温効果もあり、さらに仮面部を反転させて後頭部分に位置づけることによって、暑い場所での使用に適し、鍔部を形成しておくことで日除け防止等の従来の帽子と同様の効果が得られる。
【考案の概要】
【考案が解決しようとする課題】
【０００５】
上記前記特許文献１記載の考案は、仮面部にはキャラクター等を形成してなり使用者の顔はほとんど隠れるため仮装性に欠け、またその構成が複雑であり、携帯や収納に不便であるという問題点があった。
本考案はこのような従来技術の問題点を解決して、簡単な構成で、仮装性に優れ、使用方法が簡単で携帯に便利で装着性にすぐれたかぶり物を提供することを目的とする。
【課題を解決するための手段】
【０００６】
請求項１に記載の考案は、柔軟な材質からなるシート材の両端部を連結手段で連結して円筒形の本体を構成し、この本体の前面に孔部を構成してなり、前記本体をかぶり前記孔部より顔を出して仮面として使用し、あるいは前記孔部に頭の上部を挿入して帽子として使用するかぶり物である。
【０００７】
請求項２に記載の考案は、前記本体の両端部を連結手段によって着脱自在に連結したかぶり物である。
【０００８】
請求項３に記載の考案は、前記連結手段を面ファスナーによって構成したかぶり物である。
【０００９】
請求項４に記載の考案は、前記連結手段を差込み孔と差込み片によって構成し、前記差込み片を差込み孔に差し込んで係合するかぶり物である。
【００１０】
請求項５に記載の考案は、前記連結手段を留め具と留め紐によって構成し、前記留め紐を留め具に係合するかぶり物である。
【００１１】
請求項６に記載の考案は、前記本体の両端部を伸縮自在な連結手段によって連結したかぶり物である。
【００１２】
請求項７に記載の考案は、前記本体の両端部を固定して連結したかぶり物である。
【考案の効果】
【００１３】
請求項１記載のかぶり物によれば、本体の形状が円筒形であるため仮面としても帽子としても意外性に富むと共に、本体が柔軟な材質でできているため装着時には顔や頭部に密着するため装着性に優れ、また折り畳んで携帯、収納する際に便利である。
仮面として使用する場合には、孔部から使用者の顔が出るところから、興趣につきない。本体表面に絵や模様を描けばさらに仮面としての効果が高まり仮装性に富む。
帽子として使用する場合には、日差しを防ぐばかりでなく、本体が円筒形であるため円筒内部に空気が流れるから通気性が良く頭頂部が蒸れず快適に装着できる等の効果を奏する。
【００１４】
請求項２記載のかぶり物によれば、本体の両端部を連結手段によって着脱自在に連結したため、連結手段の位置を変えるなどして、本体の径を使用者の頭部の大きさに合わせて容易に変更できるため、多くの人が使うことができる。
また、頭部への取り付け、取り外し時にも連結手段を用いて簡易に行うことができる。
【００１５】
請求項３記載のかぶり物によれば、連結手段を面ファスナーによって構成したため、構成が簡単で安価で製造でき耐久性に優れ、また外部から見えない等のメリットがある。
【００１６】
請求項４記載のかぶり物によれば、連結手段を差込み孔と差込み片によって構成したため、簡単に作ることができる。
【００１７】
請求項５記載のかぶり物によれば、連結手段を留め具と留め紐によって構成したため、扱いやすく紐の長さを変更することで円筒の大きさを変更できる。  
【００１８】
請求項６記載のかぶり物によれば、本体の両端部を伸縮自在な連結手段によって連結したため、構成が簡易であり本体の両端部は常に連結状態を保っており、かつ使用者の頭部の大きさによって自動的に伸縮して、常に頭部にフィットするというメリットがある。
【００１９】
請求項７記載のかぶり物によれば、本体の両端部を固定したため、本体が確実に固定され円筒の形状が変化することが少ない。使用者が一人の場合、あるいは使用者の頭部の大きさに差がない場合に有効である。
【図面の簡単な説明】
【００２０】
【図１】本考案の実施形態１の斜視図である。
【図２】本考案の実施形態１の背面図である。
【図３】本考案の実施形態１の使用態様図である。
【図４】本考案の実施形態１の使用態様図である。
【図５】本考案の実施形態１の他例の斜視図である。
【図６】本考案の実施形態２の背面図である。
【図７】本考案の実施形態３を示すもので、（Ａ）は背面図、（Ｂ）は連結手段の拡大図である。
【図８】本考案の実施形態４を示すもので、（Ａ）は背面図、（Ｂ）は連結手段の拡大図である。
【図９】本考案の実施形態５の背面図である。
【図１０】本考案の実施形態６を示すもので、（Ａ）は背面図、（Ｂ）及び（Ｃ）はクリップの断面拡大図である。
【図１１】本考案の実施形態７の背面図である。
【図１２】本考案の実施形態８の背面図である。
【考案を実施するための形態】
【００２１】
本考案の実施形態１を図１ないし図５に基づいて説明する。
本実施形態のかぶり物１は、柔軟な材質からなるシート材２０を円筒形に構成した本体１０からなる。この柔軟な材質は、例えば発泡ポリエチレン、ゴムスポンジ、フエルト等からなるシート材２０であり、適当な厚さで所定の強度を有するものとする。
この本体１０の前面に、顔に装着するための孔部１１を構成し、下端の周縁部は、後面の一定高さ位置から前面の下端にかけて斜めに切り欠いて下部開口部１２を構成する。
【００２２】
前記本体１０の後面の両端部１０ａ、１０ｂは、連結手段である面ファスナー２１が取り付けてあり、この面ファスナー２１によって連結されて円筒形を構成している。  
すなわち、本体１０の一方の端部１０ａに面ファスナーのフック面２１ａを、他方の端部１０ｂに面ファスナーのループ面２１ｂを構成することで、両端部１０ａ、１０ｂを着脱自在に連結している。
【００２３】
図中符号１３は、本体１０の上部に取り付けた装飾物である。この装飾物１３は兎の耳を模倣したものであるが、この形状に限定されず他の形状でもよく、あるいは必要に応じて装飾部を省略しても良い。
また、本体１０の表面には図３に示すようにキャラクターや図柄１４を記載することもできる。
【００２４】
上記のように構成した実施形態１の作用を説明する。
図３は仮面としての使用態様図であり、本体１０を面ファスナー２１によって連結して円筒形にしてから頭にかぶり、孔部１１から顔を出している。このとき本体１０の下端に斜めに切り欠いた下部開口部１２を構成してあるため頭を挿入しやすいのである。
また、顔は孔部１１から突出した状態で装着するが、そのとき孔部１１の周端部が頬と額あるいはあごに柔軟に接触して密着すると共に、本体１０の内周面も顔の側面あるいは後頭部に柔軟に接触して密着するから本体１０は安定して保持される。
【００２５】
本体１０の頭への装着の際に、前記のようにあらかじめ連結手段２１で連結することなく、顔を孔部１１に装着した後に連結手段２１で両端部１０ａ、１０ｂを連結して頭に装着することもできる。
【００２６】
上記のように構成され使用される本実施形態によれば、次の効果を奏する。
本体１０が柔軟なシート材で作られているため頭または顔に密着する。後面の下部開口部１２により着脱が迅速に行えると共に、本体１０が多少伸縮するため大きさに幅ができ大人でも子供でも使える。また本体１０で頭の側面と後面を覆うため風を防ぎ保温性が良く、本体１０の着脱は後面の面ファスナー２１を外すことで簡単に行える。
【００２７】
さらに、本体１０の前面の孔部１１から突出する使用者の顔と、孔部１１の表面のキャラクターや図柄１４が一体となって、使用者が変身したかのような印象を与え仮装性に富み、興趣に富む等の効果を奏する。
【００２８】
図４は帽子としての使用態様図であり、本体１０を横にして孔部１１に頭を挿入して固定する。このとき孔部１１は側頭部に密着して保持されるが、前記の通り本体１０は柔軟な材質であるから頭部に安定して保持される。
【００２９】
帽子として使用した場合の効果は、形状が面白く装飾性に富むばかりでなく、簡単に装着でき、頭部に密着して安定して保持される。そのため大人でも子供でも使える。また日よけや風よけになるばかりでなく、本体１０の円筒内部１８を風が通るため通気性が良く快適に使用できる。
【００３０】
図５に本考案の実施形態１の他例を示す。
この例は、面ファスナーからなる連結手段１６で本体１０を前面で連結したものである。この例によれば連結手段１６が前面にあるため操作が容易であるというメリットがある。このように、連結手段は本体１０の後面だけでなく前面に構成してもよく、さらには図示しないが本体１０の側面等の任意の位置に設けることができる。
【００３１】
図６に、本考案の実施形態２を示す。
この実施形態は、連結手段を本体１０の後面に構成したものである。この連結手段２２は差込み式であり、本体１０の一方の端部１０ａに差込み孔２２ａを設け、他方の端部１０ｂに先端の両側に係合片２２ｃを有する差込み片２２ｂを設けてなり、使用の際には差込み片２２ｂを差込み孔２２ａに差し込んで係合片２２ｃ，２２ｃで係合するのである。
【００３２】
前記実施形態２の連結手段２２は、簡単に作ることができ扱いやすく、差込み孔の位置を変えることで円筒の径を容易に変更できる等の効果を奏する。
なお、前記実施形態２及び後述の実施形態３乃至８のかぶり物は、本体や孔部等、連結手段以外の部分は、前記実施形態１と同様の構成、作用、効果であるためそれらの説明を省略する。
【００３３】
図７（Ａ）（Ｂ）に本考案の実施形態３を示す。
この実施形態は、連結手段２３を留め具と留め紐によって構成し、本体１０の一方の端部１０ａに固定部２３ａを固定し、固定部２３ａの先端に留め具２３ｂを設け、他方の端部１０ｂに固定部２３ｃを固定し、この固定部２３ｃに留め紐２３ｄを設けたものである。
使用の際には留め紐２３ｄを留め具２３ｂに掛けて留めればよい。この連結手段２３は２個に限らず任意の個数を選択できる。
【００３４】
前記実施形態３の連結手段２３は、留め具と留め紐によって構成したため装飾的価値を有すると共に、扱いやすく確実に連結され、留め紐の長さを変更することで円筒の径を自由に変更でき操作性に優れる等の効果を奏する。
【００３５】
図８（Ａ）（Ｂ）に本考案の実施形態４を示す。
この実施形態の連結手段２５はフックを用いたものであり、本体１０の一方の端部１０ａにフック２５の係止片２５ａを固定し、他方の端部１０ｂに係合部材２５ｂを固定してなる。使用の際は係合部材２５ｂを係止片２５ａに掛けて留める。この連結手段２５は２個に限らず任意の個数を選択できる。
【００３６】
前記実施形態４の連結手段２５は、外部から見えないためデザイン性に優れ、構成も簡単であり、容易に取り付けられ確実に連結する。さらに係止片２５ａや係合部材２５ｂの位置を変更することで円筒の径を自由に変更できる等の効果を奏する。
【００３７】
図９に本考案の実施形態５を示す。
この実施形態の連結手段２６はファスナーであり、本体１０の一方の端部１０ａと他方の端部１０ｂの全長にファスナー２６を設けて連結している。使用の際は、ファスナー２６を操作して任意の位置まで開ければよい。またファスナー２６は、端部１０ａ、１０ｂの全長にわたって設けず一部だけに設けることもできる。
【００３８】
前記実施形態５の連結手段２６は、確実に連結できることとファスナーの開閉操作が片手ででき簡単であり、また任意の位置まで開閉できるというメリットがある。
【００３９】
図１０（Ａ）（Ｂ）（Ｃ）に本考案の実施形態６を示す。
この実施形態の連結手段２７はクリップによって構成してある。クリップ２７は、図１０（Ｂ）（Ｃ）に示すように、基板２７ｅと、基板２７ｅの表面に固定した支持部２７ｃと、支持部２７ｃに軸支された挟持部２７ａと操作部２７ｂからなる。前記支持部２７ｃにばね２７ｄを巻装し、ばね２７ｄの端部を挟持部２７ａの上面に配置して、挟持部２７ａを常に基板２７ｅ側に押圧しているのである。この連結手段２７は２個に限らず任意の個数を選択できる。  
【００４０】
使用に際しては、本体１０の一方の端部１０ｂの表面に基板２７ｅを取り付け、操作部２７ｂを指で基板２７ｅ側に押すと、挟持部２７ａが起き上がり、基板２７ｅとの間に生じた間隙に本体の端部１０ａを挟み、ばね２７ｄの弾発力で端部１０ａを押圧して固定する。
【００４１】
前記実施形態６の連結手段２７によれば、構成が簡単で使いやすく丈夫である等の効果を奏する。  
【００４２】
図１１に本考案の実施形態７を示す。
この実施形態の連結手段２８は、本体１０の一方の端部１０ａと他方の端部１０ｂの２か所にゴムひも２８を掛け渡して連結したものである。
【００４３】
前記実施形態７の連結手段２８によれば、構成が簡易であり、本体の端部１０ａ、１０ｂは常に連結状態を保っており、本体１０の頭部への着脱時にはゴムひも２８が自動的に伸縮するから本体１０を装着しやすく、手で操作する手間が省け便利である。また使用中も使用者の動きに合わせてゴムひも２８が自動的に伸縮するので装着性が良い。この連結手段２８は２個に限らず任意の個数を選択できる。
【００４４】
図１２は本考案の実施形態８を示すものである。この実施形態では、連結手段３０を固定式とし、本体の両端部１０ａ、１０ｂを接着剤で固定したものである。
【００４５】
前記実施形態８の連結手段３０によれば、固定式であるため構成が単純であり、本体の形状が安定する等の効果を奏する。
【符号の説明】
【００４６】
１  かぶり物          １０  本体  
１１  孔部            １２  下部開口部
１３  装飾部          １６  連結手段
２０  シート材
２１、２２、２３、２５、２６、２７、２８、３０  連結手段
【図１】
0003186991.tif 000003
【図２】
0003186991.tif 000004
【図３】
0003186991.tif 000005
【図４】
0003186991.tif 000006
【図５】
0003186991.tif 000007
【図６】
0003186991.tif 000008
【図７】
0003186991.tif 000009
【図８】
0003186991.tif 000010
【図９】
0003186991.tif 000011
【図１０】
0003186991.tif 000012
【図１１】
0003186991.tif 000013
【図１２】
0003186991.tif 000014